(57)【要約】      （修正有） 【課題】底版が破損し難く、又破損してもコストが少なく底版を補強又は容易に改修できるマンホールの構造を提供する。【解決手段】底版１３上にモルタル１８を流し込み、その上に複数の構成片１６１を載せて底版補強用プレートを構成し、底版補強用プレートの外周縁上に設けた係止部１６２の挿通孔にアンカーを挿通して躯体ブロック１１にアンカーを挿入して底版補強用プレートを躯体ブロック１１に係止し、底版補強用プレート上にモルタルを流し込んでインバート１２を構成する。【選択図】図３
0003165749.tif 000002
【実用新案登録請求の範囲】
【請求項１】
底版上に鋳物製の底版補強用プレートを設け、その上にインバートを形成したことを特徴とするマンホール。
【請求項２】
上記底版補強用プレートを複数の構成片で構成したことを特徴とする請求項１記載のマンホール。
【請求項３】
上記底版補強用プレートに躯体ブロックに係止する係止部を設けたことを特徴とする請求項１または請求項２記載のマンホール。
【考案の詳細な説明】
【技術分野】
【０００１】
本考案は、下水道用マンホールに関するものである。
【背景技術】
【０００２】
図１は、現在、一般的に用いられてる、下水道用マンホールの標準的構成を示すもので、１はマンホール蓋、２はマンホール蓋受け枠、３は高さ調整リング、４は斜壁、５は直壁、６は躯体ブロック、７はインバート、８は底版、９は流入管、１０は流出管で、一般に接着剤等により接合されて一体化されている。
【０００３】
しかし、図１に示すように、当該マンホールは底版８の上にそれぞれの構造物が積み上げらている構造であるため、底版８に掛かる荷重は相当なものであり、また車等がマンホール上を通過する際に生じる振動が与える影響も小さくなく、従って底版８は他のマンホールの構成物と比べて破損し易い。そして底版８は当該マンホールの基盤であり、既設のマンホールの場合は、経年劣化しているため、底版が上記理由により破損したり、底版が損傷した場合は下水道の汚水が漏れ、地下水や土壌を汚染する等の問題があった。
【０００４】
そして、近年底版の損傷件数が目立って多くなり、その改善策が求められているが、マンホール全体を交換するには多大な費用を要するので、低工事費で更生する手段の出現が求められている。
【先行技術文献】
【特許文献】
【０００５】
【特許文献１】実開平１ー６５６５３４５号公報
【考案の概要】
【考案が解決しようとする課題】
【０００６】
そこで本考案は底版が破損し難く、又破損してもコストが少なく底版を補強又は容易に改修できるマンホールの構造を提供することを課題とするものである。
【課題を解決するための手段】
【０００７】
本考案は上記の課題を解決するためになされたもので、請求項１記載の考案は、底版に鋳物製の底版補強用プレートを設け、その上にインバートを形成したことを特徴とするマンホールである。
【０００８】
請求項２記載の考案は、請求項１記載の考案において、底版補強用プレートを複数の構成片で構成したことを特徴とするマンホールである。
【０００９】
請求項３記載の考案は、請求項１または請求項２記載の考案において、底版補強用プレートに躯体ブロックに係止する係止部を設けたことを特徴とするマンホールである。
【考案の効果】
【００１０】
請求項１記載の考案によれば、底版に鋳物製の底版補強用プレートを設け、その上にインバートを形成することにより底版の強度を補強するが出来るため、振動や荷重に対する耐久性が増し、経年劣化に対しても亀裂が生じにくし、且つ汚水の漏れを防止することが出来る。
【００１１】
また、請求項２記載の考案によれば、特に既設マンホールの底版改修時の際、底版補強用プレートの取付作業を容易に行うことが出来る。
【００１２】
また請求項３記載の考案によれば、底版補強用プレートに直壁と係合する直壁係止部を設けることにより底版の反力が向上し、振動や荷重に対しての耐久性を高めることができる。
【００１３】
そして、請求項１〜３記載の考案によれば、既設のマンホールに対してもマンホール全体を交換することなく簡単に底版の補強及び漏れ防止の改善を行うことができる。
【図面の簡単な説明】
【００１４】
【図１】標準的マンホールの縦断面図。
【図２】本考案の第１の実施例の平面図。
【図３】図２のＡ−Ａ線断面図。
【図４】図２に示す第1の実施例における底版補強用プレートの平面図。
【図５】図４に示す第1の実施例における底版補強用プレートの正面図。
【図６】本考案の第２の実施例の平面図。
【図７】図６のＢ−Ｂ線断面図。
【図８】図６に示す第２の実施例における底版補強用プレートの平面図。
【図９】図８に示す第２の実施例における底版補強用プレートの正面図。
【図１０】本考案の第３の実施例の平面図。
【図１１】図１０に示すＣ−Ｃ線断面図。
【図１２】本考案の第４の実施例の平面図。
【図１３】図１２のＤ−Ｄ線断面図。
【実施例１】
【００１５】
図２は本考案の第1の実施例の平面図、図３は図２のＡ−Ａ線断面図で、１１はマンホールの躯体ブロック、１２はインバート、１３は底版、１４は流入管、１５は流出管、１６は鋳物製の底版補強用プレート、１７，１７，１７，１７は底版補強用プレート１６を躯体ブロック１１に固定するためのアンカー、１８は底版補強用プレート１６と底版１３との間に打設したモルタルである。
【００１６】
図４、図５は本考案の第1の実施例における底版補強用プレートの平面図と正面図で、１６１，１６１，１６１，１６１は底版補強用プレート１６を構成する構成片、１６２，１６２，１６２，１６２は躯体ブロック１１と係止するために底版補強用プレート１６の外周縁上に設けた係止部、１６３，１６３は前記係止部１６２に設けたアンカー１７を挿通するための挿通孔である。なお本実施例では底版補強用プレート１６は４つの構成片に分割されて構成されているが、分割数はこの実施例に限られないことは勿論である。
【００１７】
マンホールの製造時には底版１３上にモルタル１８を打設し、その上に構成片１６１，１６１，１６１，１６１を載せて底版補強用プレート１６を構成し、挿通孔１６３にアンカー１７を挿通して躯体ブロック１１にアンカー１７を埋め込み底版補強用プレート１６を躯体ブロック１１に係止する。そして底版補強用プレート１６上にモルタルを流し込んでインバート１２を構成する。既設マンホールの補修の場合は、インバート１２を除去し、底版１３上にモルタル１８を打設した後、底版補強用プレート１６を敷設し、アンカー１７で躯体ブロック１１に係止した後にインバート１２を構成する。なお底版補強用プレート１６にはインバート１２の形状に応じて、流入管１４から流出管１５へ流れる汚水等の妨げにならないように適宜流水路を設ける。
【００１８】
本実施例によれば、底版１３上に底版補強用プレート１６を設けることにより、底版１３の強度を補強するが出来るため、振動や荷重に対する耐久性が増し、経年劣化に対しても亀裂が生じにくい。また底版補強用プレート１６に躯体ブロック１１と係合する係合部を設けることにより底版１３の反力が生じ、振動や荷重に対しての耐久性を高めることができる。
【００１９】
そして、既設のマンホールの場合は、底版補強用プレート１６は分割されているため、マンホールの入口からマンホール内に容易に底版補強用プレートを入れることができ、既設のインバートを除去した後に底版上に底版補強用プレートを設置して、再度インバートを施行することにより、既設のマンホールを除去しなくても底版が補強された本考案のマンホールを容易且つコストが少なく施行することができる。
【実施例２】
【００２０】
図６は本考案の第２の実施例の平面図、図７は図６に示すＢ−Ｂ線断面図で、１１’はマンホールの躯体ブロック、１２’はインバート、１３’は底版、１４’は流入管、１５’は流出管、１６’は鋳物製の底版補強用プレート、１７’，１７’，１７’，１７’は底版補強用プレート１６’を躯体ブロック１１’に固定するためのアンカー、１８’は底版補強用プレート１６’と底版１３’との間に打設したモルタルである。
【００２１】
図８、図９は本考案の底版補強用プレートの第２の実施例の平面図と正面図で、１６１’，１６１’，１６１’，１６１’は底版補強用プレート１６を構成する構成片、１６２’，１６２’，１６２’，１６２’は躯体ブロック１１’と係止するための係止部、１６３’，１６３’は係止部１６２’に設けられたアンカー１７’を挿通するための挿通孔である。なお本実施例では底版補強用プレート１６’は４つの構成片に分割されて構成されているが、分割数はこの実施例に限られないことは勿論である。
【００２２】
マンホールの構成は上記実施例１と略同様であるが、底版補強用プレート１６’の厚み分だけ底版１３’を削り、その削った部分の底版１３’上にモルタル１８’を流し込み、その上に底版補強用プレート１６’を構成する構成片１６１’，１６１’，１６１’，１６１’を載せて底版補強用プレート１６’を構成し、挿通孔１６３’にアンカー１７’を挿通して躯体ブロック１１’にアンカー１７’を埋め込み底版補強用プレート１６’を躯体ブロック１１’に係止する。
【００２３】
本実施例によれば、流入管と流出管の底面が底版の上面と同位置にある場合であっても実施例１と同様の効果を得ることができる。
【実施例３】
【００２４】
図１０は本考案の第３の実施例の平面図、図１１は図１０のＣ−Ｃ線断面図で、１１”はマンホールの躯体ブロック、１２”はインバート、１３”は底版、１４”は流入管、１５”は流出管、１６”は鋳物製で円盤状の底版補強用プレート、１６１”，１６１”，１６１”，１６１”は底版補強用プレート１６”を構成する構成片、１８”は底版補強用プレート１６”と底版１３”との隙間を埋めるためのモルタルである。なお本実施例では底版補強用プレート１６”の外径は躯体ブロック１１”の内径より大きく構成され、底版補強用プレート１６”は４つの構成片に分割されて構成されているが、分割数はこの実施例に限られないことは勿論である。
【００２５】
マンホールの製造時は、底版補強用プレート１６”の厚みとモルタル１８”の厚み分だけ底版１３”に凹部を形成し、既設マンホールの場合は、前記厚み分だけ削り、その凹部又は削った部分の底版１３”上にモルタル１８”を流し込み、その上に底版補強用プレート１６”を構成する構成片１６１”，１６２”，１６１”，１６１”を載せて底版補強用プレート１６”を構成し、躯体ブロック１１”を底版補強用プレート１６”上に被せるように設置する。そして底版補強用プレート１６”上にモルタルを流し込んでインバート１２”を構成する。
【００２６】
本実施例によれば、躯体ブロックとの係止部を設けなくても底版補強用プレートの端部を躯体ブロックで押圧しているため底版の反力が生じ、実施例１と同様の効果を得ることができる。
【００２７】
そして既設のマンホールの場合は、既設のインバートを除去した後、底版を底版補強用プレートの厚みとモルタルの厚み分だけ削った後でも当該底版補強用プレートは分割されているため、躯体ブロックの下に潜り込むように挿入すれば容易に設置することができ、再度インバートを形成することにより、既設のマンホール全体を除去しなくても底版が補強された本考案の組立マンホールを容易且つコストが少なく施行することができる。
【実施例４】
【００２８】
図１２は本考案の第４の実施例の平面図、図１３は図１２に示すＤ−Ｄ線断面図で、実施例３の底版補強用プレートを底版の中に内包するようにしたものである。
【符号の説明】
【００２９】
１１    躯体ブロック
１２    インバート
１３    底版
１４    流入管
１５    流出管
１６    底版補強用プレート
１６    構成片
１６２  係止部
１６３  挿通孔
１７    アンカー
１８    モルタル
【図１】
0003165749.tif 000003
【図２】
0003165749.tif 000004
【図３】
0003165749.tif 000005
【図４】
0003165749.tif 000006
【図５】
0003165749.tif 000007
【図６】
0003165749.tif 000008
【図７】
0003165749.tif 000009
【図８】
0003165749.tif 000010
【図９】
0003165749.tif 000011
【図１０】
0003165749.tif 000012
【図１１】
0003165749.tif 000013
【図１２】
0003165749.tif 000014
【図１３】
0003165749.tif 000015